(57)【要約】【課題】  受診者が天板に載置されているか否かを確実に判断して、その判断に基づいて受診者情報の表示切替えを行うことで、撮像対象となる受診者とその受診者情報とに食い違いが生じることを防止する。【解決手段】  術者が受診者Ｐを寝台２から降ろすと、受診者Ｐの体は、天板２１の導電性素材から成る載置面部から離れて、載置面部の静電容量に変化が生じる。この載置面部の静電容量の変化は、静電容量検出器２４によって検出されて、その静電容量の変化量に関する情報は、処理プロセッサ３１へ送信される。処理プロセッサ３１は、その静電容量の変化が、受診者Ｐが天板２１から降りたことに対応するものであるか否かを判断して、これに該当した場合には、表示装置５は、不図示の受診者一覧画面において、術者に対して次の受診者の受診者ＩＤを選択することを指示する指示項目を表示する。【選択図】      図１
2005160929.tif 000002
【特許請求の範囲】
【請求項１】
複数の受診者の受診者情報を予め記憶する受診者情報記憶手段と、
撮像対象となる受診者を載置する導電性素材から成る載置面を有する天板と、
前記撮像対象となる受診者の受診者情報を表示する表示手段と、
前記載置面に載置された前記撮像対象となる受診者を撮像して画像データを生成する撮像手段と、
前記撮像対象となる受診者が前記天板を降りることにより生じる前記載置面の静電容量の変化を検出する検出手段と、
前記検出手段により検出された前記載置面の静電容量の変化を受けて、前記受診者情報記憶手段から次に撮像対象となる受診者の受診者情報を読み出して、前記表示手段に切替えて表示させる制御を行う表示制御手段と、を備えたことを特徴とする医用画像診断装置。
【請求項２】
前記予め記憶された複数の受診者の受診者情報の中から前記撮像対象となる受診者の受診者情報を指定するための撮像対象指定手段を備え、
前記表示制御手段は、前記検出手段により前記載置面の静電容量の変化が検出されたことを受けて、操作者に対して前記次に撮像対象となる受診者の受診者情報を指定することを指示する指示画面を、前記表示手段に表示させる制御を行うと共に、前記指示画面による指示に応じて行われた前記撮像対象指定手段による指定を受けて、前記受診者情報記憶手段から前記次に撮像対象となる受診者の受診者情報を読み出して、前記表示手段に切替えて表示させる制御を行うことを特徴とする請求項１記載の医用画像診断装置。
【請求項３】
前記予め記憶された複数の受診者の受診者情報の中から前記撮像対象となる受診者の受診者情報を指定するための撮像対象指定手段と、
前記検出手段により前記載置面の静電容量の変化が検出されたことを受けて、操作者に対して前記次に撮像対象となる受診者の受診者情報を指定することを指示する音又は音声、若しくは、光による報知を行う報知手段と、を備え、
前記表示制御手段は、前記報知手段による報知に応じて行われた前記撮像対象指定手段による指定を受けて、前記受診者情報記憶手段から前記次に撮像対象となる受診者の受診者情報を読み出して、前記表示手段に切替えて表示させる制御を行うことを特徴とする請求項１記載の医用画像診断装置。
【請求項４】
前記検出手段により前記載置面の静電容量の変化が検出された延べ回数を計数する計数手段を備え、
前記受診者情報記憶手段は、前記複数の受診者の受診者情報の各々を前記複数の受診者の各々の撮像対象順と対応付けて記憶し、
前記表示制御手段は、前記計数手段により計数された延べ回数に基づいて次の撮像対象順を判断して、前記受診者情報記憶手段から前記次に撮像対象となる受診者の受診者情報を読み出して、前記表示手段に切替えて表示させる制御を行うことを特徴とする請求項１記載の医用画像診断装置。
【請求項５】
前記検出手段により前記載置面の静電容量の変化が検出されたことを受けて、前記撮像対象となる受診者の受診者情報と前記撮像手段により生成された画像データとを対応付けて記録する記録手段を備えたことを特徴とする請求項１乃至請求項４の何れか一項に記載の医用画像診断装置。
【請求項６】
前記記録手段は、前記撮像手段から前記撮像を行った際の撮像条件を取得し、当該取得した撮像条件と前記撮像手段により生成された画像データとを対応付けて記録することを特徴とする請求項５記載の医用画像診断装置。
【請求項７】
前記表示制御手段は、
前記静電容量の大きい方側に設けられた所定の第１の閾値と、前記静電容量の小さい方側に設けられた所定の第２の閾値と、を予め記憶する閾値記憶手段を有し、
前記検出手段により検出された前記載置面の静電容量の変化が、前記第１の閾値以上の値から前記第２の閾値以下の値に変化するものであった場合に、当該載置面の静電容量の変化を前記撮像対象となる受診者が前記天板を降りることにより生じる静電容量の変化として受けて、前記受診者の撮像対象順に従って前記受診者情報記憶手段から次に撮像対象となる受診者の受診者情報を読み出し、前記表示手段に切替えて表示させる制御を行うことを特徴とする請求項１乃至請求項６の何れか一項に記載の医用画像診断装置。
【請求項８】
前記表示制御手段は、前記検出手段により検出された前記載置面の静電容量の変化が、前記第１の閾値以上の値から前記第２の閾値以下の値に変化するものであって、且つ、前記第２の閾値以下という状態が所定時間以上保持されるものであった場合に、当該載置面の静電容量の変化を前記撮像対象となる受診者が前記天板を降りることにより生じる静電容量の変化として受けることを特徴とする請求項７記載の医用画像診断装置。
【請求項９】
前記検出手段は、前記撮像対象となる受診者が前記天板を乗り降りすることにより生じる前記載置面の静電容量の変化を検出し、
前記検出手段により検出された前記載置面の静電容量の変化が、前記撮像対象となる受診者が前記天板を降りたことを示すものと判断された場合に、前記撮像手段による撮像を禁止し、前記検出手段により検出された前記載置面の静電容量の変化が、前記撮像対象となる受診者が前記天板に乗ったことを示すものと判断された場合に、前記撮像手段による撮像の禁止を解除するインターロック手段を備えたことを特徴とする請求項１乃至請求項６の何れか一項に記載の医用画像診断装置。
【請求項１０】
前記表示制御手段は、
前記静電容量の大きい方側に設けられた所定の第１の閾値と、前記静電容量の小さい方側に設けられた所定の第２の閾値と、を予め記憶する閾値記憶手段を有し、
前記検出手段により検出された前記載置面の静電容量の変化が、前記第１の閾値以上の値から前記第２の閾値以下の値に変化するものであった場合に、当該載置面の静電容量の変化を前記撮像対象となる受診者が前記天板を降りたことを示すものと判断し、前記検出手段により検出された前記載置面の静電容量の変化が、前記第２の閾値以下の値から前記第１の閾値以上の値に変化するものであった場合に、当該載置面の静電容量の変化を前記撮像対象となる受診者が前記天板に乗ったことを示すものと判断することを特徴とする請求項９記載の医用画像診断装置。
【請求項１１】
前記表示制御手段は、前記検出手段により検出された前記載置面の静電容量の変化が、前記第１の閾値以上の値から前記第２の閾値以下の値に変化するものであって、且つ、前記第２の閾値以下という状態が所定時間以上保持されるものであった場合に、当該載置面の静電容量の変化を前記撮像対象となる受診者が前記天板を降りたことを示すものと判断し、前記検出手段により検出された前記載置面の静電容量の変化が、前記第２の閾値以下の値から前記第１の閾値以上の値に変化するものであって、且つ、前記第１の閾値以上という状態が所定時間以上保持されるものであった場合に、当該載置面の静電容量の変化を前記撮像対象となる受診者が前記天板に乗ったことを示すものと判断することを特徴とする請求項１０記載の医用画像診断装置。
【請求項１２】
前記受診者の受診者情報は、前記受診者を識別するための識別情報を含むことを特徴とする請求項１乃至請求項１１の何れか一項に記載の医用画像診断装置。
【発明の詳細な説明】
【技術分野】
【０００１】
本発明は、複数の受診者を対象とする集団検診等を行う際に用いられる医用画像診断装置に関するものである。
【背景技術】
【０００２】
従来から、複数の受診者を対象として行われる集団検診として、Ｘ線診断装置による胸部の検査などが実施されているが、近年においては、Ｘ線ＣＴ装置や磁気共鳴イージング装置（ＭＲＩ装置）などの高度な医用画像診断装置が普及したことに伴い、これらＸ線ＣＴ装置による肺癌検診やＭＲＩ装置による脳血管の検診なども、その対象になってきている。
【０００３】
ところで、これら医用画像診断装置による集団検診の中に、Ｘ線診断装置による上部消化管、即ち、胃部の検診があるが、この胃部の集団検診は、病院施設で実施される他、Ｘ線診断装置を搭載したバス等の車両と共に医療スタッフを受診者の集まり易い場所、例えば公民館や学校等へ派遣して行われることになっている。この胃部の検診を行うに際しては、検診部位である胃を空の状態とするために、受診者に検査前の半日程度にわたり禁食を強いることになるため、この胃部の集団検診は、上述した何れの場合においても、通常、午前中の限られた時間内に実施されることになっている。そして、この間に処理しなければならない受診者の数は、百人以上に達することも珍しくなく、この集団検診に携わる医療スタッフは、多忙を極めることになっている。
【０００４】
この胃部の検診においては、受診者に対する撮影手法（撮影方向や撮影枚数等）が複数種類にわたって規定されており、例えば、その１つに、Ｘ線診断装置の寝台を水平にして、寝台天板上に受診者を寝かせた状態（臥位）で、Ｘ線管とＸ線検出器とを受診者の周りに回動させたり、受診者の身体の向きを変えることによって、方向の異なる６枚のＸ線撮影を行い、最後に寝台を立位にした状態で１枚撮影して、合計７枚のＸ線撮影を行う７枚法と称される撮影法がある。
【０００５】
このような撮影法によって撮影を実施する際には、受診者と撮影したＸ線画像とをその都度対応付けていく必要があり、例えば、術者は、受診者が入れ替わる毎に、当該受診者の撮影が終了した旨を入力する操作や、次の受診者の識別情報、例えば検査番号、氏名等の受診者情報を呼び出すために、受診者ＩＤを入力する操作を行い、これを受けたＸ線診断装置においては、呼び出した受診者情報をそれ以降に撮影したＸ線画像の画像データと対応付けて記録したり、その受診者ＩＤを撮影したＸ線画像に写し込む処理を行うことになっている。
【０００６】
ところで、上述した胃部の集団検診を行う際には、全ての受診者に対して、上述したような特定の撮影法を実施するわけではなく、術者の判断によって、特定の撮影方向による撮影を省略したり、別途新たな撮影方向による撮影を実施したりすることが行われている。
【０００７】
しかしながら、上述したように、集団検診時の医療スタッフは多忙を極めているために、時として、術者が上述した受診者の撮影が終了した旨を入力する操作や、次の受診者の受診者ＩＤを入力する操作を行うことを忘れ、前の受診者の受診者情報が保持されたまま次の受診者の撮影を行ってしまい、その結果、撮影したＸ線画像の画像データとこれに対応して記録された受診者情報との関係や、撮影したＸ線画像と、これに対応して映しこまれた受診者情報との関係に食い違いが生じるミスファイルが発生する問題があった。
【０００８】
そこで、このような問題を解決するべく、例えば特開２００３−１６４４２７号公報に記載される画像診断装置においては、撮影の開始と終了とを検知して、これをトリガとして、新たな受診者情報の入力や選択を指示すること、また、新たな受診者情報を受診者情報管理手段から取得してこれを表示すること、さらには、撮影の開始を検知してから所定時間が経過した際にその旨の警告表示を行うことなどが提案されている（例えば、特許文献１参照）。
【０００９】
【特許文献１】特開２００３−１６４４２７号公報（段落〔００２４〕‐〔００９４〕、第１図乃至第１７図）
【発明の開示】
【発明が解決しようとする課題】
【００１０】
ところが、この画像診断装置においては、受診者が寝台から降りたことを寝台の歪や寝台にかかる荷重変化によって検出したり、また、検査ルーチンから想定される寝台の検査終了時における所定角度や所定動作を検出することで検査の終了を検知していることから、例えば、前者においては、寝台が支持する天板に取り付けられる付属品（ヘッドレスト、アームレスト等）の数や、その取付位置、受診者が寝台から降りる際の当該寝台のポジション（水平位置、垂直位置等）等の違いにより生じる歪のバラつきにより、又は、受診者の体格（子供、大人等）等の違いにより生じる荷重のバラつきにより、その検出結果の判断において誤りが生じる場合があった。また、後者においては、通常の検査ルーチンとは異なり、急な寝台ポジションの変更や臨時の飛び込み検査等があった場合に、上述した受診者情報の切り替えや警告表示を、それ以降、適正に行うことが困難になるという問題があった。
【００１１】
本発明は、上記事情に鑑みてなされたものであり、その目的とするところは、受診者が天板に載置されているか否かを確実に判断して、その判断に基づいて受診者情報の表示切替えを行うことで、撮像対象となる受診者とその受診者情報とに食い違いが生じることを防止する医用画像診断装置を提供することにある。
【課題を解決するための手段】
【００１２】
上記課題を解決するために、請求項１記載の発明は、複数の受診者の受診者情報を予め記憶する受診者情報記憶手段と、撮像対象となる受診者を載置する導電性素材から成る載置面を有する天板と、前記撮像対象となる受診者の受診者情報を表示する表示手段と、前記載置面に載置された前記撮像対象となる受診者を撮像して画像データを生成する撮像手段と、前記撮像対象となる受診者が前記天板を降りることにより生じる前記載置面の静電容量の変化を検出する検出手段と、前記検出手段により検出された前記載置面の静電容量の変化を受けて、前記受診者情報記憶手段から次に撮像対象となる受診者の受診者情報を読み出して、前記表示手段に切替えて表示させる制御を行う表示制御手段と、を備えたことを特徴とする。
【００１３】
上記課題を解決するために、請求項２記載の発明は、請求項１記載の医用画像診断装置であって、前記予め記憶された複数の受診者の受診者情報の中から前記撮像対象となる受診者の受診者情報を指定するための撮像対象指定手段を備え、前記表示制御手段は、前記検出手段により前記載置面の静電容量の変化が検出されたことを受けて、操作者に対して前記次に撮像対象となる受診者の受診者情報を指定することを指示する指示画面を、前記表示手段に表示させる制御を行うと共に、前記指示画面による指示に応じて行われた前記撮像対象指定手段による指定を受けて、前記受診者情報記憶手段から前記次に撮像対象となる受診者の受診者情報を読み出して、前記表示手段に切替えて表示させる制御を行うことを特徴とする。
【００１４】
上記課題を解決するために、請求項３記載の発明は、請求項１記載の医用画像診断装置であって、前記予め記憶された複数の受診者の受診者情報の中から前記撮像対象となる受診者の受診者情報を指定するための撮像対象指定手段と、前記検出手段により前記載置面の静電容量の変化が検出されたことを受けて、操作者に対して前記次に撮像対象となる受診者の受診者情報を指定することを指示する音又は音声、若しくは、光による報知を行う報知手段と、を備え、前記表示制御手段は、前記報知手段による報知に応じて行われた前記撮像対象指定手段による指定を受けて、前記受診者情報記憶手段から前記次に撮像対象となる受診者の受診者情報を読み出して、前記表示手段に切替えて表示させる制御を行うことを特徴とする。
【００１５】
上記課題を解決するために、請求項４記載の発明は、請求項１記載の医用画像診断装置であって、前記検出手段により前記載置面の静電容量の変化が検出された延べ回数を計数する計数手段を備え、前記受診者情報記憶手段は、前記複数の受診者の受診者情報の各々を前記複数の受診者の各々の撮像対象順と対応付けて記憶し、前記表示制御手段は、前記計数手段により計数された延べ回数に基づいて次の撮像対象順を判断して、前記受診者情報記憶手段から前記次に撮像対象となる受診者の受診者情報を読み出して、前記表示手段に切替えて表示させる制御を行うことを特徴とする。
【００１６】
上記課題を解決するために、請求項５記載の発明は、請求項１乃至請求項４の何れか一項に記載の医用画像診断装置であって、前記検出手段により前記載置面の静電容量の変化が検出されたことを受けて、前記撮像対象となる受診者の受診者情報と前記撮像手段により生成された画像データとを対応付けて記録する記録手段を備えたことを特徴とする。
【００１７】
上記課題を解決するために、請求項６記載の発明は、請求項５記載の医用画像診断装置であって、前記記録手段は、前記撮像手段から前記撮像を行った際の撮像条件を取得し、当該取得した撮像条件と前記撮像手段により生成された画像データとを対応付けて記録することを特徴とする。
【００１８】
上記課題を解決するために、請求項７記載の発明は、請求項１乃至請求項６の何れか一項に記載の医用画像診断装置であって、前記表示制御手段は、前記静電容量の大きい方側に設けられた所定の第１の閾値と、前記静電容量の小さい方側に設けられた所定の第２の閾値と、を予め記憶する閾値記憶手段を有し、前記検出手段により検出された前記載置面の静電容量の変化が、前記第１の閾値以上の値から前記第２の閾値以下の値に変化するものであった場合に、当該載置面の静電容量の変化を前記撮像対象となる受診者が前記天板を降りることにより生じる静電容量の変化として受けて、前記受診者の撮像対象順に従って前記受診者情報記憶手段から次に撮像対象となる受診者の受診者情報を読み出し、前記表示手段に切替えて表示させる制御を行うことを特徴とする。
【００１９】
上記課題を解決するために、請求項８記載の発明は、請求項７記載の医用画像診断装置であって、前記表示制御手段は、前記検出手段により検出された前記載置面の静電容量の変化が、前記第１の閾値以上の値から前記第２の閾値以下の値に変化するものであって、且つ、前記第２の閾値以下という状態が所定時間以上保持されるものであった場合に、当該載置面の静電容量の変化を前記撮像対象となる受診者が前記天板を降りることにより生じる静電容量の変化として受けることを特徴とする。
【００２０】
上記課題を解決するために、請求項９記載の発明は、請求項１乃至請求項６の何れか一項に記載の医用画像診断装置であって、前記検出手段は、前記撮像対象となる受診者が前記天板を乗り降りすることにより生じる前記載置面の静電容量の変化を検出し、前記検出手段により検出された前記載置面の静電容量の変化が、前記撮像対象となる受診者が前記天板を降りたことを示すものと判断された場合に、前記撮像手段による撮像を禁止し、前記検出手段により検出された前記載置面の静電容量の変化が、前記撮像対象となる受診者が前記天板に乗ったことを示すものと判断された場合に、前記撮像手段による撮像の禁止を解除するインターロック手段を備えたことを特徴とする。
【００２１】
上記課題を解決するために、請求項１０記載の発明は、請求項９記載の医用画像診断装置であって、前記表示制御手段は、前記静電容量の大きい方側に設けられた所定の第１の閾値と、前記静電容量の小さい方側に設けられた所定の第２の閾値と、を予め記憶する閾値記憶手段を有し、前記検出手段により検出された前記載置面の静電容量の変化が、前記第１の閾値以上の値から前記第２の閾値以下の値に変化するものであった場合に、当該載置面の静電容量の変化を前記撮像対象となる受診者が前記天板を降りたことを示すものと判断し、前記検出手段により検出された前記載置面の静電容量の変化が、前記第２の閾値以下の値から前記第１の閾値以上の値に変化するものであった場合に、当該載置面の静電容量の変化を前記撮像対象となる受診者が前記天板に乗ったことを示すものと判断することを特徴とする。
【００２２】
上記課題を解決するために、請求項１１記載の発明は、請求項１０記載の医用画像診断装置であって、前記表示制御手段は、前記検出手段により検出された前記載置面の静電容量の変化が、前記第１の閾値以上の値から前記第２の閾値以下の値に変化するものであって、且つ、前記第２の閾値以下という状態が所定時間以上保持されるものであった場合に、当該載置面の静電容量の変化を前記撮像対象となる受診者が前記天板を降りたことを示すものと判断し、前記検出手段により検出された前記載置面の静電容量の変化が、前記第２の閾値以下の値から前記第１の閾値以上の値に変化するものであって、且つ、前記第１の閾値以上という状態が所定時間以上保持されるものであった場合に、当該載置面の静電容量の変化を前記撮像対象となる受診者が前記天板に乗ったことを示すものと判断することを特徴とする。
【発明の効果】
【００２３】
本発明である請求項１に係る医用画像診断装置によれば、天板の載置面を導電性素材により構成して、検出手段が、受診者が天板から降りることにより生じる当該載置面の静電容量の変化を検出するので、受診者が天板から降りたことを正確に検出することができ、表示制御手段が、当該検出を受けて受診者情報の表示切替えを行うので、これを正確に行うことができる。
【００２４】
また、本発明である請求項２に係る医用画像診断装置によれば、検出手段が、受診者が天板から降りたことを検出したことを受けて、表示制御手段が、表示手段に次に撮像対象となる受診者の受診者情報への表示切替えを指示する指示画面を表示させるので、術者は、当該指示画面の表示に応じて、次に撮像対象となる受診者の受診者情報を選択することで、受診者情報の表示切替えを忘れることなく、これを行うことができる。
【００２５】
また、本発明である請求項３に係る医用画像診断装置によれば、検出手段が、受診者が天板から降りたことを検出したことを受けて、報知手段が、次に撮像対象となる受診者の受診者情報への表示切替えを指示する音又は音声、若しくは、光による報知を行うので、術者は、当該報知に応じて、次に撮像対象となる受診者の受診者情報を選択することで、受診者情報の表示切替えを忘れることなく、これを行うことができる。
【００２６】
また、本発明である請求項４に係る医用画像診断装置によれば、検出手段が、受診者が天板から降りたことを検出したことを受けて、表示制御手段が、表示手段に次に撮像対象となる受診者の受診者情報への表示切替えを行わせるので、術者に、当該受診者情報の表示切替え操作を行わせることなく、これを自動的に行うことができる。
【００２７】
また、本発明である請求項５に係る医用画像診断装置によれば、検出手段が、受診者が天板から降りたことを検出したことを受けて、記録手段が、受診者を撮像した画像データと受診者情報とを対応付けて記録するので、術者に、当該記録に係る操作を行わせることなく、これを自動的に行うことができる。
【００２８】
また、本発明である請求項６に係る医用画像診断装置によれば、記録手段が、受診者を撮像した画像データと当該撮像を行った際の撮像条件とを対応付けて記録するので、術者に、当該記録に係る操作を行わせることなく、これを自動的に行うことができる。
【００２９】
また、本発明である請求項７に係る医用画像診断装置によれば、表示制御手段が、検出手段により検出された載置面の静電容量の変化が、静電容量の大きい方側に設けられた所定の第１の閾値以上の値から静電容量の小さい方側に設けられた所定の第２の閾値以下の値に変化するものであった場合に、当該載置面の静電容量の変化を受診者が天板から降りたことにより生じた静電容量の変化として受けるので、例えば、受診者の体格や、受診者の天板上でのフラつき等に起因する載置面の静電容量の変化のバラつきに影響されることなく、受診者が天板から降りたことを正確に検出することができる。
【００３０】
また、本発明である請求項８に係る医用画像診断装置によれば、表示制御手段が、検出手段により検出された載置面の静電容量の変化が、静電容量の大きい方側に設けられた所定の第１の閾値以上の値から静電容量の小さい方側に設けられた所定の第２の閾値以下の値に変化するものであって、さらに、この第２の閾値以下という状態が所定時間以上保持されるものであった場合に、当該載置面の静電容量の変化を前記撮像対象となる受診者が前記天板を降りることにより生じる静電容量の変化として受けるので、例えば受診者が勘違いにより天板から降りて、これに気が付き、直ぐに天板に乗り直したような場合であっても、これを誤って受診者が天板から降りたものとして検出することがない。
【００３１】
また、本発明である請求項９に係る医用画像診断装置によれば、インターロック手段が、検出手段が検出した載置面の静電容量の変化が受診者が天板を降りたことを示すものと判断された場合に、撮像手段による撮像を禁止し、検出手段が検出した載置面の静電容量の変化が受診者が天板に乗ったことを示すものと判断された場合に、撮像手段による撮像の禁止を解除するので、術者は、例えば撮像手段として放射線照射装置等を用いる場合に、不注意の操作により自身が放射線に被曝してしまうことを防止することができる。
【００３２】
また、本発明である請求項１０に係る医用画像診断装置によれば、表示制御手段が、検出手段により検出された載置面の静電容量の変化が、静電容量の大きい方側に設けられた所定の第１の閾値以上の値から静電容量の小さい方側に設けられた所定の第２の閾値以下の値に変化するものであった場合に、当該載置面の静電容量の変化を受診者が天板を降りたことを示すものと判断し、検出手段により検出された載置面の静電容量の変化が、静電容量の小さい方側に設けられた所定の第２の閾値以下の値から静電容量の大きい方側に設けられた所定の第１の閾値以上の値に変化するものであった場合に、当該載置面の静電容量の変化を受診者が天板に乗ったことを示すものと判断するので、受診者の体格や、受診者の天板上でのフラつき等に起因する載置面の静電容量の変化のバラつきに影響されることなく、受診者が天板から降りたことと、受診者が天板に乗ったことを正確に判断することができる。
【００３３】
また、本発明である請求項１１に係る医用画像診断装置によれば、表示制御手段が、検出手段により検出された載置面の静電容量の変化が、静電容量の大きい方側に設けられた所定の第１の閾値以上の値から静電容量の小さい方側に設けられた所定の第２の閾値以下の値に変化するものであって、さらに、この第２の閾値以下という状態が所定時間以上保持されるものであった場合に、当該載置面の静電容量の変化を受診者が天板を降りたことを示すものと判断し、検出手段により検出された載置面の静電容量の変化が、静電容量の小さい方側に設けられた所定の第２の閾値以下の値から静電容量の大きい方側に設けられた所定の第１の閾値以上の値に変化するものであって、さらに、この第1の閾値以上という状態が所定時間以上保持されるものであった場合に、当該載置面の静電容量の変化を受診者が天板に乗ったことを示すものと判断するので、例えば受診者が勘違いにより天板から降りて、これに気が付き、直ぐに天板に乗り直したような場合であっても、これを誤って受診者が天板から降りたものとして検出することがない。
【発明を実施するための最良の形態】
【００３４】
以下、本発明に係る医用画像診断装置の好適な一実施形態について、図面を参照しながら具体的に説明する。尚、以下においては、本発明に係る医用画像診断装置の一実施形態として、Ｘ線診断装置を例に挙げて説明するが、本発明は、Ｘ線診断装置に限らず、Ｘ線ＣＴ装置や磁気共鳴イメージング装置（ＭＲＩ装置）等の医用画像診断装置にも適用することができる。
【００３５】
（医用画像診断装置の構成）
図１に、本実施形態におけるＸ線診断装置の全体構成を表す構成図を示す。図１に示すように、当該Ｘ線診断装置は、天板２１に載置された受診者Ｐに対して所定方向からＸ線を照射することで、その検査部位の撮影を行う撮影装置１と、受診者Ｐを載置する天板２１を移動可能に支持する寝台２と、これら撮影装置１及び寝台２の移動制御を行うと共に、撮影装置１によって撮影された画像データの記録を行う制御装置３と、この制御装置３に対して上述した撮影装置１及び寝台２の移動制御を行うための情報を入力すると共に、撮影装置１によって撮影を行う際にＸ線管１１から照射するＸ線の曝射条件に関する情報を入力する入力器４と、撮影装置１によって撮影された画像を表示する表示装置５と、を備えている。尚、制御装置３は、バスライン３３を介して、撮影装置１や寝台２を始めとして、入力器４や表示装置５と電気的に接続されている。因みに、図１においては、撮影装置１と寝台２とが分離独立した状態を示しているが、これらは一体に構成されてもいて良い。
【００３６】
撮影装置１は、Ｘ線管１１と二次元Ｘ線検出器１２とを、例えば略Ｃ字形に湾曲した支持アーム１３の両端の互いに対向する位置に保持している。そして、この支持アーム１３は、不図示の支持部に支持されて、撮影方向を所望の方向に設定するために、その湾曲方向に沿って所定範囲を移動し、また、その支持軸を中心として回転移動を行うことが可能に構成されている。また、二次元Ｘ線検出器１２は、Ｘ線管１１から照射され受診者Ｐを透過したＸ線の透過量に基づいて、受診者Ｐの検査部位を光学像として出力するＸ線イメージインテンシファイア１２ａと、そのＸ線イメージインテンシファイア１２ａが出力する光学像を撮像するテレビカメラ１２ｂと、から構成されている。因みに、表示装置５は、このテレビカメラ１２ｂにより撮像された光学像を表示する。尚、二次元Ｘ線検出器１２は、この他にも、例えば蛍光板と半導体光センサとが光学的に結合された積層体から成る複数のＸ線画像検出器をマトリックス状に配置したものであっても良い。
【００３７】
寝台２は、図２に示すように、受診者Ｐを載置する導電性素材（ＣＦＲＰ；炭素繊維強化プラスチック、アルミ箔、導電性塗料等）から成る載置面部２１ａを有する天板２１と、この天板２１の一端側に設けられ、図３に示す立位位置において受診者Ｐの足を支持するための踏台２２と、天板２１の載置面部２１ａをグランド接続された寝台本体２５から絶縁するための絶縁層２３と、受診者Ｐが天板２１を乗降することにより生じる載置面部２１ａの静電容量の変化を検出する静電容量検出器２４と、から構成されている。寝台２は、天板２１を、図２に示す水平位置から図３に示す立位位置まで傾動することが可能な構成となっており、さらに、この天板２１を上下方向及び前後方向（載置面に沿った受診者Ｐの体軸方向）に移動可能な構成となっている。尚、天板２１は、全体が導電性素材（ＣＦＲＰ等）によって構成されていても良く、このような場合には、当該天板２１が静電容量検出器２４と電気的に接続されれば良い。
【００３８】
静電容量検出器２４は、より詳細には、図４に示すように、載置面部２１ａに対して矩形波を供給すると共に、載置面部２１ａの静電容量によってこの矩形波に発生する波形歪み（遅延）の程度を計測する波形計測部２４ａと、ＣＰＵ２４ｆ及び記憶回路２４ｇと、を備えている。波形計測部２４ａは、さらに、所定周期の矩形波を発生する矩形波発生器２４ｂと、この矩形波を増幅して載置面部２１ａに供給する駆動回路２４ｃと、載置面部２１ａの静電容量の影響を受けて波形歪が生じた矩形波を増幅及び波形整形するプリアンプ２４ｄと、このプリアンプ２４ｄの出力と、矩形波発生器２４ｂの出力との間で位相検波を行い、その直流成分を検出する位相検波器２４ｅと、を備えている。
【００３９】
このような構成において、図５に示すように、矩形波発生器２４ｂから出力された矩形波ａ１は、駆動回路２４ｃによって増幅された上で載置面部２１ａに供給され、この載置面部２１ａにおいて、その静電容量の影響を受けて、その静電容量に応じて波形歪が発生した矩形波ａ２となる。プリアンプ２４ｄは、この波形歪が生じた矩形波ａ２を増幅して、所定の閾値γで波形整形した矩形波ａ３を生成する。この波形整形した矩形波ａ３には、矩形波発生器２４ｂから出力された矩形波ａ１との間に載置面部２１ａの静電容量の大きさに応じた位相差δｔが発生して、当該位相差δｔだけ遅延された波となる。位相検波器２４ｅは、これら矩形波ａ１と矩形波ａ３との間で位相検波を行い、その直流成分を検出する。この位相検波器２４ｅにより出力される直流成分の大きさは、載置面部２１ａにおける静電容量が大きいほど低値を示すことから、ＣＰＵ２４ｆは、この位相検波器２４ｅから出力された直流成分の大きさに基づいて、載置面部２１ａにおける静電容量の大きさを推定する。ここで、記憶回路２４ｇは、標準的な生体（例えば、人体ファントム）を対象として設定された、上述の位相検波器２４ｅから出力された直流成分の大きさと、そのときの載置面部２１ａにおける静電容量が大きさと、の関係を示す相関データを予め記憶しており、ＣＰＵ２４ｆは、位相検波器２４ｅから出力された直流成分の大きさに対応する静電容量の大きさを、この記憶回路２４ｇに記憶される相関データに基づいて推定する。尚、図６に示す、受診者と載置面部２１ａ間の距離Ｌと、位相検波器２４ｅから出力される直流成分の大きさから推定された静電容量Ｃと、の関係を示す関係図から明らかなように、実際、受診者Ｐが載置面部２１ａに完全に接触した際（距離Ｌ＝０）、即ち、受診者Ｐが天板２１に乗った際の静電容量は、無限大の方に大きくなる傾向にあり、位相検波器２４ｅから出力される直流成分の大きさ（電圧であっても良い）は、零に近い値となる。また、実際、受診者Ｐが載置面部２１ａから十分に離れた際（距離Ｌ＞＞Ｌ２）、即ち、受診者Ｐが天板２１から降りた際の静電容量は、受診者Ｐが天板２１に乗る前の値Ｃ１とほぼ同等となり、位相検波器２４ｅから出力される直流成分の大きさ（電圧であっても良い）も、受診者Ｐが天板２１に乗る前の値とほぼ同等となる。因みに、受診者Ｐが天板２１に乗る前の静電容量の値Ｃ１は、載置面部２１ａの構成に応じた特定の値となっている。
【００４０】
ＣＰＵ２４ｆによって推定された載置面部２１ａにおける静電容量の大きさに関する情報は、処理プロセッサ３１へ送信される。処理プロセッサ３１は、このＣＰＵ２４ｆから送信された載置面部２１ａにおける静電容量の大きさから、適時、その変化を判断、具体的には、後述するように、その変化が、受診者Ｐが天板２１を降りたことを示すものなのか、受診者Ｐが天板２１に乗ったことを示すものなのかを判断する。
【００４１】
制御装置３は、上述した撮影装置１及び寝台２の移動制御に係る処理を行うと共に、上述した静電容量検出器２４のＣＰＵ２４ｆから送信された載置面部２１ａの静電容量の変化に基づき受診者Ｐの天板２１への乗降を判断して、その判断に従って表示装置５における受診者情報の表示切替え制御に係る処理を行うＣＰＵを主要素とする処理プロセッサ３１と、この処理プロセッサ３１による処理に必要なプログラムを記憶するメモリ３２と、受診者の固有情報である受診者情報を予め記録する受診者情報記録装置３４と、撮影装置１によって撮影された画像データを記録する画像記録装置３５と、処理プロセッサ３１によって、載置面部２１ａの静電容量の変化が、受診者Ｐが天板２１を降りたことを示すものと判断された場合、即ち、上述した載置面部２１ａの静電容量の大きさが、凡そ無限大から受診者Ｐが天板２１に乗る前の値Ｃ１となった場合に、撮影装置１による撮影動作を禁止すると共に、処理プロセッサ３１によって、載置面部２１ａの静電容量の変化が、受診者Ｐが天板２１に乗ったことを示すものと判断された場合、即ち、上述した載置面部２１ａの静電容量の大きさが、凡そ受診者Ｐが天板２１に乗る前の値Ｃ１から無限大となった場合に、撮影装置１による撮影動作の禁止を解除するインターロック回路３６と、を備えている。尚、インターロック回路３６は、Ｘ線管１１への高電圧の供給を遮断することで、撮影装置１による撮影動作を禁止すると共に、その遮断を解除することで、撮影装置１による撮影動作の禁止を解除する。
【００４２】
ここで、処理プロセッサ３１は、上述した判断を、より詳細には以下の通りに行う。メモリ３２には、図６に示した関係図において記載する、受診者Ｐと載置面部２１ａとの距離Ｌが“０”以上、Ｌ１（例えば１０ｍｍ）以下となった場合に受診者Ｐが天板２１に乗ったものと判断するべく設定された静電容量の閾値αと、例えば、距離Ｌが“Ｌ２”（例えば１００ｍｍ）以上となった場合に受診者Ｐが天板２１から降りたものと判断するべく設定された静電容量の閾値βとが予め記憶されており、処理プロセッサ３１は、載置面部２１ａの静電容量の変化が、この閾値α以上から閾値β以下となった場合に、受診者Ｐが天板２１を降りたと判断し、また、載置面部２１ａの静電容量の変化が、この閾値β以下から閾値α以上となった場合に、受診者Ｐが天板２１に乗ったと判断する。このように閾値α、βを設けることで、処理プロセッサ３１は、受診者Ｐの体格に他の受診者とバラつきがあった場合であっても、また、受診者Ｐと載置面部２１ａ間の距離に多少の変動があった場合（例えば、受診者Ｐが不可抗力により天板２１に乗った状態で僅かにフラついて、その体（例えば背中）が一時的に載置面部２１ａから離れた状態となったり、接触した状態となったりした場合）であっても、これらによる載置面部２１ａの静電容量の変化のバラつきに影響されることなく、正確に受診者Ｐの天板２１への乗降を判断することができる。さらに、この際、載置面部２１ａの静電容量の変化、具体的には、載置面部２１ａの静電容量の変化が閾値α以上から閾値β以下となった場合にあっては、閾値β以下となった状態が、また、載置面部２１ａの静電容量の変化が閾値β以下から閾値α以上となった場合にあっては、閾値α以上となった状態が所定時間（例えば５秒）以上、保持されたことを判断の要件とすることで、処理プロセッサ３１は、例えば受診者Ｐが勘違いにより天板２１から降りて、これに気が付き、直ぐに天板２１に乗り直したような場合であっても、これを誤って受診者Ｐが天板２１から降りたものとして判断することがなく、その判断をより正確にすることができる。尚、このような場合、当該所定時間は、メモリ３２に予め記憶しておき、また、その時間は、術者が入力器４によって入力することとしても良い。
【００４３】
入力器４は、術者が、上述した撮影装置１及び寝台２の移動制御を行うための情報として、例えば撮影装置１による撮影方向、寝台２による天板２１の傾倒移動、上下移動及び前後移動を指示するための各種指示情報や数値情報等を入力し、また、上述したＸ線管１１から照射するＸ線の曝射条件に関する情報として、Ｘ線管１１に印加される電圧値及び電流値を入力する他、上述の受診者情報の表示切替えを行うべく、受診者ＩＤを入力するため、さらには、上述した静電容量の閾値α、βや、所定時間を入力するためのマウス、トラックボール、キーボード等を備えている。
【００４４】
表示装置５は、上述した撮影装置１によって撮影された画像を表示する他、撮影を行うに際して、その受診者の一覧を、例えば図８に示すような受診者一覧画面５Ａにおいて、その受診者ＩＤを表す受診者ＩＤ項目５Ａａ、その受診者の氏名を表す受診者氏名項目５Ａｂ等によって表示し、この受診者一覧画面５Ａにおいて選択された受診者の受診者情報、具体的には、受診者の氏名、受診者のＩＤ番号、受診者の撮影に係るオーダー番号、前回の撮影時における透視条件、前回の撮影時における撮影条件等を、各々、例えば図９に示すような受診者情報画面５Ｂにおいて、受診者氏名項目５Ｂａ、受診者ＩＤ項目５Ｂｂ、オーダー番号項目５Ｂｃ、前回透視条件項目５Ｂｄ、前回撮影条件項目５Ｂｅ等により表示する。尚、受診者情報は、受診者を特定するための識別情報を含むものであれば良いが、この他にも、後述するように、必要に応じて受診者の生年月日、性別、年齢、肥満度等を含んでいても良い。
【００４５】
（撮影時における処理の流れ）
次に、当該Ｘ線診断装置を用いて上部消化管である胃の集団検診を行う場合の標準的な処理の流れについて、図７に示すフローチャートを参照しながら説明する。
【００４６】
集団検診を始めるに際して、まず、表示装置５は、処理プロセッサ３１による制御の下、図１０に示すように、受診者一覧画面５Ａにおいて、検査を開始することを指示、具体的には、これから検査を行う対象となる受診者の受診者ＩＤを選択することを指示する指示項目５Ａｃを表示する。術者が、これに応じて、受診者氏名項目５Ａｂにおいて受診者の氏名を確認して、その受診者ＩＤを入力器４によって入力する（Ｓ０１）と、これを受けて、表示装置５は、処理プロセッサ３１による制御の下、入力された受診者ＩＤに対応する受診者情報を、受診者情報記録装置３４から読み出し、その受診者情報を図９に示した受診者情報画面５Ｂとして表示する（Ｓ０２）。このような処理により、検査対象となる受診者の受診者情報が選択されて、これが表示されることになる。
【００４７】
尚、当該検査の開始時においては、寝台２は略立位位置（寝台角度約９０度）にあり、術者は、受診者Ｐを天板２１の踏台２２に乗せることになる。このとき、受診者Ｐの体（例えば背中）は、天板２１の載置面部２１ａに接触して、載置面部２１ａの静電容量に変化が生じる。この載置面部２１ａの静電容量の変化は、静電容量検出器２４によって検出されて、その静電容量の変化量に関する情報は、処理プロセッサ３１へ送信される。尚、このときの載置面部２１ａの静電容量の変化は、非常に大きい（凡そ受診者Ｐが天板２１に乗る前の値Ｃ１から無限大の方向へ大きく変化する）ものであり、天板２１に取り付けられる付属品の数や、その取付け位置等の違いにより生じる寝台２における歪みのバラつきや、寝台２の位置（水平位置、立位位置等）や受診者Ｐの体格（子供、大人等）等の違いにより生じる受診者Ｐの荷重のバラつきに影響される度合いが小さいことから、処理プロセッサ３１においては、正確に受診者Ｐが天板２１に乗ったことを判断することができる。
【００４８】
ここで、処理プロセッサ３１は、その静電容量の変化が、受診者Ｐが天板２１に乗ったことに対応するものであるか否かを判断して（Ｓ０３）、これに該当すると判断した場合には（Ｓ０３、ＹＥＳ）、処理プロセッサ３１による制御の下、インターロック回路３６は、Ｘ線管１１への高電圧の供給の遮断を解除することで、撮影装置１による撮影の禁止を解除する（Ｓ０４）。尚、上述したように、メモリ３２は、受診者Ｐと載置面部２１ａとの距離Ｌが“０”以上、Ｌ１（例えば１０ｍｍ）以下となった場合に受診者Ｐが天板２１に乗ったものと判断するべく設定された静電容量の閾値αと、例えば、距離Ｌが“Ｌ２”（例えば１００ｍｍ）以上となった場合に受診者Ｐが天板２１から降りたものと判断するべく設定された静電容量の閾値βとを予め記憶しており、処理プロセッサ３１は、載置面部２１ａの静電容量の変化が、閾値β以下から閾値α以上となった場合に、受診者Ｐが天板２１に乗ったと判断する（図６参照）。尚、上述したように、この際、処理プロセッサ３１は、この閾値α以上となった状態が所定時間以上保持されたことをもって、受診者Ｐが天板２１に乗ったと判断することとしても良い。これにより、例えば受診者Ｐが天板２１に乗った後、勘違いにより天板２１から降りて、また直ぐに天板２１に乗ったような場合であっても、処理プロセッサ３１は、これに影響されて、次の受診者が天板２１に乗ったと誤判断することなく、その受診者Ｐが天板２１に乗ったことを正確に判断することができる。
【００４９】
術者は、受診者Ｐに対して造影剤（例えばバリウム）を投与した後、入力器４からの入力により、寝台２を移動させて天板２１を略水平位置（寝台角度約０度）にし、さらに、Ｘ線管１１から受診者Ｐに対してＸ線を連続的に照射して、表示装置５に表示される透視画像を参照しながら、Ｘ線管１１及び二次元Ｘ線検出器１２を保持する支持アーム１３を回動させることによって、撮影方向を検査部位に位置決めし、撮影装置１に対して撮影動作、即ち、Ｘ線の照射を指示することで１枚目の撮影を行う。以降、寝台２を略水平位置にしたままで、受診者Ｐの向きを変えたり、支持アーム１３の方向を変えたりして、２枚目から６枚目の撮影を、順次、実施する。そして、最後に寝台２を略垂直位置（寝台角度約９０度）へ戻して、７枚目を撮影する。これで、７枚法での通常の検査ルーチンが終了する。
【００５０】
この際、処理プロセッサ３１は、撮影毎にその実施を検知して（Ｓ０５）、受診者情報記録装置３４は、処理プロセッサ３１による制御の下、撮影装置１によって撮影が行われた際の撮影条件（撮影方向を設定する際に行われた透視の透視条件を含む）の内容を一端保持する（Ｓ０６）。尚、撮影装置１による撮影条件は、術者が、撮影を開始するにあたってその都度設定、具体的には、その都度、新たにＸ線管１１に印加される電圧値及び電流値を入力器４によって入力することができるが、受診者情報記録装置３４は、少なくとも撮影装置１によって最初に撮影が行われた際の撮影条件の内容を一端保持することとする。また、画像記録装置３５は、処理プロセッサ３１による制御の下、撮影装置１によって撮像されたＸ線画像の画像データをその都度保持する（Ｓ０７）。このようなＳ０５からＳ０７までの工程は、撮影が終了するまで繰り返し行われる。処理プロセッサ３１は、その都度、撮影が終了したか否かを判断して（Ｓ０８）、撮影が終了したと判断した場合には（Ｓ０８、ＹＥＳ）、以下に説明するように撮影装置１による撮影を終了する。
【００５１】
当該検査の終了時においては、寝台２は略立位位置（寝台角度約９０度）にあり、術者は、受診者Ｐを寝台２から降ろすことになる。このとき、受診者Ｐの体（例えば背中）は、天板２１の載置面部２１ａから離れて、載置面部２１ａの静電容量に変化が生じる。この載置面部２１ａの静電容量の変化は、静電容量検出器２４によって検出されて、その静電容量の変化量に関する情報は、処理プロセッサ３１へ送信される。尚、上述したように、このときの載置面部２１ａの静電容量の変化は、非常に大きい（無限大の方向へ大きい値から凡そ受診者Ｐが天板２１に乗る前の値Ｃ１へ変化する）ものであり、天板２１に取り付けられる付属品の数や、その取付け位置等の違いにより生じる寝台２における歪みのバラつきや、寝台２の位置（水平位置、立位位置等）や受診者Ｐの体格（子供、大人等）等の違いにより生じる受診者Ｐの荷重のバラつきに影響される度合いが小さいことから、後述する処理プロセッサ３１においては、正確に受診者Ｐが天板２１から降りたことを判断することができる。
【００５２】
ここで、処理プロセッサ３１は、その静電容量の変化が、受診者Ｐが天板２１から降りたことに対応するものであるか否かを判断して（Ｓ０９）、これに該当すると判断した場合には（Ｓ０９、ＹＥＳ）、処理プロセッサ３１による制御の下、インターロック回路３６は、Ｘ線管１１への高電圧の供給を遮断することで、撮影装置１による撮影を禁止する（Ｓ１０）。このように、インターロック回路３６が、処理プロセッサ３１の受診者Ｐが天板２１から降りたという判断に基づいて、自動的に撮影装置１による撮影を禁止することで、術者が、不注意の操作によりＸ線に被曝してしまうことを防止することができる。尚、上述したように、メモリ３２は、受診者Ｐと載置面部２１ａとの距離Ｌが“０”以上、Ｌ１（例えば１０ｍｍ）以下となった場合に受診者Ｐが天板２１に乗ったものと判断するべく設定された静電容量の閾値αと、例えば、距離Ｌが“Ｌ２”（例えば１００ｍｍ）以上となった場合に受診者Ｐが天板２１から降りたものと判断するべく設定された静電容量の閾値βとを予め記憶しており、処理プロセッサ３１は、載置面部２１ａの静電容量の変化が、閾値α以上から閾値β以下となった場合に、受診者Ｐが天板２１から降りたと判断する（図６参照）。尚、上述したように、この際、処理プロセッサ３１は、この閾値β以下となった状態が所定時間以上保持されたことをもって、受診者Ｐが天板２１から降りたと判断することとしても良い。これにより、例えば受診者Ｐが天板２１から降りた後、勘違いにより天板２１に乗って、直ぐにまた天板２１から降りたような場合であっても、処理プロセッサ３１は、これに影響されて次の受診者が天板２１から降りたと誤判断することなく、その受診者Ｐが天板２１から降りたことを正確に判断することができる。
【００５３】
ここで、受診者情報記録装置３４は、処理プロセッサ３１による制御の下、受診者Ｐの受診者情報の撮影条件（撮影方向を設定する際に行われた透視の透視条件を含む）の内容を撮影装置１によって撮影が行われた際の撮影条件の内容に更新する。また、画像記録装置３５は、処理プロセッサ３１による制御の下、その都度保持した画像データを上述の更新された受信情報と対応付けて記録する（Ｓ１１）。このように、画像記録装置３５が、撮影装置１によって撮像されたＸ線画像の画像データを受診者情報と対応付けて自動的に保存することで、術者は、当該保存に係る操作を行わなくとも、これを適正に行うことができる。
【００５４】
ここで、表示装置５は、処理プロセッサ３１による制御の下、図１１に示すように、受診者一覧画面５Ａにおいて、次の受診者の受診者ＩＤを選択することを指示する指示項目５Ａｄを表示する。このように、表示装置５が、受診者一覧画面５Ａにおいて、次の受診者の受診者情報への表示切替えを指示する指示項目５Ａｄを表示することで、術者は、次の受診者の受診者情報への表示切替え操作を忘れてしまうことなく、これを適正に行うことができる。
【００５５】
以上をもって、当該受診者Ｐに対する撮影は終了することとなり、順次、次の受診者について、Ｓ０１からＳ１０までの処理を繰り返すことになる。
【００５６】
尚、以上に説明した工程は、集団検診時の標準的な手順を示したものであるが、必ずしも標準的な手順ばかりではなく、例えば、上述のＳ０７からＳ０８の間で、術者が余分に何枚かの撮影が必要と判断すれば、その分の撮影を追加して行ったり、また、術者がある方向からの撮影を省略しても良いと判断すれば、その撮影が省略されたりすることもある。このような場合であっても、受診者Ｐの天板２１への乗降は、撮影開始時と撮影終了時において行われるため、当該Ｘ線診断装置における処理に変更はない。
【００５７】
また、例えば、上述のＳ０７からＳ０８の間で、通常の検査ルーチンとは異なり、急な寝台ポジションの変更や臨時の飛び込み検査等の実施が行われることがある。このような場合であっても、当該Ｘ線診断装置においては、受診者Ｐが天板２１に乗降することにより生じる載置面部２１ａの静電容量の変化に基づいて、正確に受診者Ｐの天板２１への乗降を判断して、その判断に基づいて、上述した受診者一覧画面５Ａにおける、次の受診者の受診者ＩＤを選択することを指示する指示項目５Ａｄの表示（その他、インターロック回路３６による撮影装置１の撮影の禁止を含む）を行うので、術者は、これに応じて、例えば急な寝台ポジションの変更があった場合には、現在の受診者Ｐの受診者ＩＤを入力することで、また、臨時の飛び込み検査を行う場合には、その受診者の受診者ＩＤを入力することで、受診者情報の切替え処理を適正に行うことできる。また、この際には、それまでに撮影された画像データと、その撮影が行われた際の撮影条件の内容は、それぞれ、受診者情報記録装置３４と、画像記録装置３５とに保持されていることから、術者は、当該臨時の飛び込み検査後に、再度、それ以前に検査を行っていた受診者の受診者ＩＤを入力することで、当該受診者の検査を適正に再開することができる。
【００５８】
以上に説明したことから、当該Ｘ線診断装置によれば、従来のように、受診者ＩＤの設定を変更しないまま、他の受診者の検査を続けることによって、撮影された画像データと受診者情報との対応付けに食い違いが生じるミスファイルを無くすことができ、特に医療スタッフが多忙を極める集団検診時の作業ミスを防止することができる。従って、読影に際しての後戻り作業も発生させることがなく、医療スタッフの作業効率を向上することができる。
【００５９】
尚、以上に説明した本実施形態におけるＸ線診断装置は、本発明に係る医用画像診断装置の好適な一実施形態を例示したものであり、その他の実施形態を除外するものではない。
【００６０】
例えば、本実施形態におけるＸ線診断装置においては、表示装置５が、図１１に示した受診者一覧画面５Ａにおいて、次の受診者の受診者ＩＤを選択することを指示する指示項目５Ａｄを表示することで、術者に対して、次の受診者の受診者情報への表示切替え操作を行うことを指示する構成としたが、この他にも、例えばスピーカやランプ等の報知手段を設けて、音又は音声による報知や、ボタンやランプの点灯又は点滅による報知を行うことで、術者に対して、次の受診者の受診者情報への表示切替え操作を行うことを指示する構成としても良い。尚、このような場合においても、その起点となるのは、処理プロセッサ３１によって、静電容量検出器２４によって検出された静電容量の変化が受診者Ｐが天板２１から降りたことに対応するものであると判断された時点である。
【００６１】
また、本実施形態におけるＸ線診断装置においては、表示装置５が、図１１に示した受診者一覧画面５Ａにおいて、次の受診者の受診者ＩＤを選択することを指示する指示項目５Ａｄを表示し、術者が、入力器４により次の受診者の受診者ＩＤを入力することで、受診者情報の切替え処理を行う構成としたが、この受診者情報の切替え処理は、自動的に行うこととしても良い。このような場合には、例えば受診者情報記録装置３４は、複数の受診者の受診者情報の各々を、それら複数の受診者の各々の撮影順番と対応付けて記憶することとし、また、処理プロセッサ３１は、静電容量検出器２４によって検出された載置面部２１ａの静電容量の変化が受診者Ｐが天板２１を降りたことを示すものであった場合に、当該載置面部２１ａの静電容量の変化が検出された延べ回数を計数するカウンタを備えることとし、処理プロセッサ３１は、このカウンタにより計数された回数に基づいて、次の受診者の撮影順番を判断して、受診者情報記録装置３４に記憶された、上述の複数の受診者の各々の撮影順番を参照することで、次ぎの受診者の受診者情報を特定して、表示装置５に対して、現在表示されている受診者Ｐの受診者情報を、この特定された次の受診者の受診者情報に切替えさせる制御を行うこととする。表示装置５は、この処理プロセッサ３１の指示に従って、次に撮影を行う受診者の受診者情報を受診者情報記録装置３４から読み出し、その受診者情報を現在表示している受診者情報に替わって表示する。これにより、術者は、上述した受診者情報の表示切替え操作を行わなくとも、これを適正に行うことができる。尚、受診者情報記録装置３４は、上述の複数の受診者の受診者情報（但し、各々の受診者の撮影順番と対応付けされたもの）を、ネットワーク接続された外部システムである、例えば検査予約システム（複数の受診者の受診者情報をその検査予約時刻と対応付けて管理するシステム）から取得することとしても良い。
【００６２】
また、本実施形態におけるＸ線診断装置においては、集団検診を開始するに際して、表示装置５が、図１０に示した受診者一覧画面５Ａにおいて、最初に検査を行う受診者の受診者ＩＤを選択することを指示する指示項目５Ａｃを表示し、術者が、その受診者ＩＤを入力器４によって入力することで、最初の受診者の受診者情報の表示を行う構成としたが、この最初の受診者の受診者情報の表示は、自動的に行うこととしても良い。このような場合にも、例えば受診者情報記録装置３４は、複数の受診者の受診者情報の各々を、それら複数の受診者の各々の撮影順番と対応付けて記憶することとし、処理プロセッサ３１は、上述の複数の受診者の各々の撮影順番を参照することで、その撮影順番に基づいて、表示装置５に対して、最初に撮影（検査）を行う受診者の受診者情報を表示させる制御を行うこととする。表示装置５は、処理プロセッサ３１の指示に従って、最初に検査を行う受診者の受診者情報を受診者情報記録装置３４から読み出し、その受診者情報を表示する。これにより、術者は、上述した最初の受診者の受診者情報を表示する操作を行わなくとも、これを適正に行うことができる。尚、このような場合にも、受診者情報記録装置３４は、上述の複数の受診者の受診者情報（但し、各々の受診者の撮影順番と対応付けされたもの）を、例えばネットワーク接続された検査予約システムから取得することとしても良い。
【００６３】
また、本実施形態におけるＸ線診断装置においては、ＣＰＵ２４ｆは、位相検波器２４ｅによって検出された直流成分の大きさそのものに基づいて載置面部２１ａにおける静電容量の大きさを推定し、処理プロセッサ３１は、このＣＰＵ２４ｆから送信された載置面部２１ａにおける静電容量の大きさの変化を判断することとしたが、実際、受診者Ｐが載置面部２１ａに乗降することにより生じる載置面部２１ａにおける静電容量の変化は、検査時における温度、湿度等の影響を受けて微妙な誤差を生じることから、この誤差を解消するべく、例えば、寝台２に温度や湿度を検出する温湿度検出手段を設け、記憶回路２４ｇに、検査時の温度や湿度と載置面部２１ａにおける静電容量の大きさの誤差との関係を示す相関データを予め記憶しておき、ＣＰＵ２４ｆにおいては、位相検波器２４ｅによって検出された直流成分の大きさに基づいて載置面部２１ａにおける静電容量の大きさを推定した後、その推定された静電容量の大きさをこの記憶回路２４ｇに記憶された相関データに基づいて補正して、当該補正された静電容量の大きさを処理プロセッサ３１へ送信する構成としても良い。また、受診者Ｐが載置面部２１ａに乗降することにより生じる載置面部２１ａにおける静電容量の変化は、受診者Ｐの性別、年齢、肥満度等の影響を受けて微妙な誤差を生じることから、この誤差を解消するべく、例えば、受診者情報記録装置３４に記録される受診者情報に、標準的な生体に対応して設定された、これら受診者Ｐの性別、年齢、肥満度等に関する情報を含ませておき、或いは、術者が、その都度、これらの受診者情報を入力器４によって入力することとし、メモリ３２に、これら受診者Ｐの性別、年齢、肥満度等と載置面部２１ａにおける静電容量の大きさの誤差との関係を示す相関データを予め記憶しておき、処理プロセッサ３１においては、ＣＰＵ２４ｆから送信された載置面部２１ａにおける静電容量の大きさをこのメモリ３２に記憶された相関データに基づいて補正して、当該補正された静電容量の大きさの変化を判断する構成としても良い。これらを実施することにより、処理プロセッサ３１は、より正確に受診者Ｐの天板２１への乗降を判断することができる。
【図面の簡単な説明】
【００６４】
【図１】本発明に係る医用画像診断装置の一実施形態であるＸ線診断装置の概略構成を表す構成図である。
【図２】図１に示す寝台の詳細構成を表す構成図である。
【図３】図２に示す寝台の立位位置における状態を表す構成図である。
【図４】図２に示す静電容量検出器の詳細構成を表す構成図である。
【図５】図４に示す矩形波発生器から出力された矩形波と、プリアンプに入力された波形歪が生じた矩形波と、プリアンプによって波形整形された矩形波の態様について説明するための説明図である。
【図６】受診者と載置面部間の距離と、位相検波器から出力される直流成分の大きさから推定される静電容量との関係を示す関係図である。
【図７】図１に示すＸ線診断装置において行われる一連の処理の流れについて説明するためのフローチャートである。
【図８】図１に示す表示装置において表示される受診者一覧画面の構成を表す構成図である。
【図９】図１に示す表示装置において表示される受診者情報画面の構成を表す構成図である。
【図１０】図８に示す受診者一覧画面において、検査開始を指示する指示項目が表示された態様を表す構成図である。
【図１１】図８に示す受診者一覧画面において、次に検査対象となる受診者の受診者ＩＤの選択を指示する指示項目が表示された態様を表す構成図である。
【符号の説明】
【００６５】
１  撮影装置
１１  Ｘ線管
１２  二次検出器
１２ａ  Ｘ線イメージインテンシファイア
１２ｂ  テレビカメラ
１３  支持アーム
２  寝台
２１  天板
２１ａ  載置面
２２  踏台
２３  絶縁層
２４  静電容量検出器
２５  寝台本体
３  制御装置
３１  処理プロセッサ
３２  メモリ
３３  バスライン
３４  受診者情報記録装置
３５  画像記録装置
３６  インターロック回路
４  入力器
５  表示装置
５Ａ  受診者一覧画面
５Ａａ  受診者ＩＤ項目
５Ａｂ  受診者氏名項目
５Ａｃ  指示項目
５Ａｄ  指示項目
５Ｂ  受診者情報画面
５Ｂａ  受診者氏名項目
５Ｂｂ  受診者ＩＤ項目
５Ｂｃ  オーダー番号項目
５Ｂｄ  前回透視条件項目
５Ｂｅ  前回撮影条件項目
Ｐ  受診者
【図１】
2005160929.tif 000003
【図２】
2005160929.tif 000004
【図３】
2005160929.tif 000005
【図４】
2005160929.tif 000006
【図５】
2005160929.tif 000007
【図６】
2005160929.tif 000008
【図７】
2005160929.tif 000009
【図８】
2005160929.tif 000010
【図９】
2005160929.tif 000011
【図１０】
2005160929.tif 000012
【図１１】
2005160929.tif 000013